(57)【特許請求の範囲】
【請求項１】
充電対象機器であって、
前記充電対象機器は、
無線受信回路であって、無線充電装置によって送信された電磁信号を受信し、前記電磁信号を前記無線受信回路の出力電圧に変換するための無線受信回路と、
降圧回路であって、前記無線受信回路の出力電圧を受信し、前記無線受信回路の出力電圧を降圧処理して前記降圧回路の出力電圧を取得し、前記降圧回路の出力電圧に基づいて前記充電対象機器のバッテリを充電するための降圧回路と、
前記充電対象機器の温度を検出するための温度検出回路と、
前記充電対象機器の温度が所定の閾値より大きい場合、前記無線充電装置をトリガして無線充電プロセスを制御して前記無線受信回路の出力電圧を低減するためのフィードバック情報を前記無線充電装置に送信することで、前記降圧回路の入力電圧と前記降圧回路の出力電圧との間の電圧差が小さくなるための通信制御回路と、を含む、
ことを特徴とする充電対象機器。
【請求項２】
前記通信制御回路は、さらに、前記無線充電装置が無線充電プロセスを制御して前記降圧回路の出力電圧および／または出力電流を前記バッテリが現在必要とする充電電圧および／または充電電流とマッチングさせるように、前記無線充電装置と無線通信するために用いられる、
ことを特徴とする請求項１に記載の充電対象機器。
【請求項３】
前記降圧回路は、ＢＵＣＫ回路及びチャージポンプのうち少なくとも一つである、
ことを特徴とする請求項１又は２に記載の充電対象機器。
【請求項４】
無線充電装置であって、
電圧変換回路であって、前記無線充電装置の入力電圧を昇圧処理して、前記電圧変換回路の出力電圧と出力電流を取得するための電圧変換回路と、
前記電圧変換回路の出力電圧と出力電流に基づいて、電磁信号を送信して、充電対象機器を無線充電するための無線送信回路と、
前記充電対象機器の温度が所定の閾値より大きい場合に前記充電対象機器によって送信されたフィードバック情報を受信し、前記フィードバック情報に基づいて、無線充電プロセスを制御し、前記電圧変換回路の出力電圧を低減して、降圧回路の入力電圧と前記降圧回路の出力電圧との間の電圧差が小さくなるための通信制御回路と、を含む、
ことを特徴とする無線充電装置。
【請求項５】
前記通信制御回路は、さらに、前記フィードバック情報に基づいて、前記無線送信回路のデューティ比を低減して、前記無線受信回路の出力電圧を低減するために用いられる、
ことを特徴とする請求項４に記載の無線充電装置。
【請求項６】
前記通信制御回路は、前記フィードバック情報に基づいて、前記無線送信回路の送信周波数を調整して、前記無線受信回路の出力電圧を低減する、
ことを特徴とする請求項４に記載の無線充電装置。
【請求項７】
前記通信制御回路は、さらに、前記無線送信回路の送信電力を調整して前記無線送信回路の送信電力を前記充電対象機器のバッテリが現在必要とする充電電圧および／または充電電流とマッチングさせるように、前記充電対象機器と無線通信するために用いられる、
ことを特徴とする請求項４に記載の無線充電装置。
【請求項８】
前記電圧変換回路は昇圧回路である、
ことを特徴とする請求項４に記載の無線充電装置。
【請求項９】
前記昇圧回路の昇圧係数は低下された前記無線受信回路の出力電圧の降圧係数と等しい、
ことを特徴とする請求項８に記載の無線充電装置。
【請求項１０】
無線充電装置に適用される制御方法であって、
電磁信号を送信して充電対象機器を無線充電するステップと、
前記充電対象機器の温度が所定の閾値より大きい場合に前記充電対象機器によって送信されたフィードバック情報を受信するステップと、
前記フィードバック情報に基づいて、無線充電プロセスを制御して、前記充電対象機器の無線受信回路の出力電圧を低減することで、前記充電対象機器の降圧回路の入力電圧と前記充電対象機器の降圧回路の出力電圧との間の電圧差が小さくなるステップと、を含む、
ことを特徴とする無線充電装置の制御方法。
【請求項１１】
前記フィードバック情報に基づいて、無線充電プロセスを制御して、前記充電対象機器の無線受信回路の出力電圧を低減するステップは、
前記フィードバック情報に基づいて、送信された前記電磁信号のデューティ比を低減して、前記無線受信回路の出力電圧を低減するステップを含む、
ことを特徴とする請求項１０に記載の方法。
【請求項１２】
前記フィードバック情報に基づいて、無線充電プロセスを制御して、前記充電対象機器の無線受信回路の出力電圧を低減するステップは、
前記フィードバック情報に基づいて、送信された前記電磁信号の送信周波数を調整して、前記無線受信回路の出力電圧を低減するステップを含む、
ことを特徴とする請求項１０に記載の方法。
【請求項１３】
前記無線充電装置は、
前記無線充電装置の入力電圧を昇圧処理して、昇圧された電圧を取得するステップと、  前記昇圧された電圧に基づいて、電磁信号を生成するステップと、
前記フィードバック情報に基づいて、無線充電プロセスを制御して、前記充電対象機器の無線受信回路の出力電圧を低減するステップは、
前記フィードバック情報に基づいて、前記昇圧された電圧を低減して、前記無線受信回路の出力電圧を低減するステップを含む、
ことを特徴とする請求項１０に記載の方法。
【請求項１４】
前記制御方法は、
送信された前記電磁信号の送信電力を調整して、送信された前記電磁信号の送信電力をバッテリが現在必要とする充電電圧および／または充電電流とマッチングさせるように、前記充電対象機器と無線通信するステップをさらに含む、
ことを特徴とする請求項１０に記載の方法。
【発明の詳細な説明】
【優先権情報】
【０００１】
本出願は、２０１７年４月７日に中国国家知識産権局に提出された、特許出願の番号がＰＣＴ／ＣＮ２０１７／０７９７８４であり、発明名称が「無線充電システム、装置、方法及び充電対象機器」であるＰＣＴ出願の優先権を主張するものであり、当該中国特許出願の全ての内容は参照により本願に組み入れられる。
【技術分野】
【０００２】
本出願は、無線充電の分野に関し、より詳細には、充電対象機器、無線充電装置及びその制御方法に関する。
【背景技術】
【０００３】
現在、充電技術の分野では、充電対象機器は、主に有線充電方式で充電されている。
【０００４】
携帯電話を例とすると、現在、携帯電話の充電方法は、依然として主に有線充電を採用している。具体のには、携帯電話を充電する必要があるとき、充電ケーブル（例えば、ユニバーサルシリアルバス（Ｕｎｉｖｅｒｓａｌ  ｓｅｒｉａｌ  ｂｕｓ、ＵＳＢ）ケーブル）を介して携帯電話を電源供給機器に接続し、充電ケーブルを介して電源供給機器の出力電力が携帯電話に伝送されて、携帯電話内のバッテリを充電することができる。
【０００５】
充電対象機器について、有線充電方式の場合、充電ケーブルを使用する必要があるため、充電準備段階の操作が煩雑である。したがって、無線充電方式は、ますます人々に好まれている。しかしながら、従来の無線充電方式の効果が悪く、改善する必要がある。
【発明の概要】
【発明が解決しようとする課題】
【０００６】
本出願は、無線充電プロセスを改善することができる充電対象機器、無線充電装置及びその制御方法を提供する。
【課題を解決するための手段】
【０００７】
第１の側面において、充電対象機器を提供し、前記充電対象機器は、無線充電装置によって送信された電磁信号を受信し、前記電磁信号を無線受信回路の出力電圧に変換するための無線受信回路と、降圧回路であって、前記無線受信回路の出力電圧を受信し、前記無線受信回路の出力電圧を降圧処理して前記降圧回路の出力電圧を取得し、前記降圧回路の出力電圧に基づいて前記充電対象機器のバッテリを充電するための降圧回路と、前記充電対象機器の温度を検出するための温度検出回路と、前記充電対象機器の温度が所定の閾値より大きい場合、前記無線充電装置をトリガして無線充電プロセスを制御して、前記無線受信回路の出力電圧を低減するためのフィードバック情報を前記無線充電装置に送信するための通信制御回路と、を含む。
【０００８】
第２の側面において、無線充電装置を提供し、無線充電装置は、電磁信号を送信して、充電対象機器を無線充電するための無線送信回路と、前記充電対象機器の温度が所定の閾値より大きい場合に前記充電対象機器によって送信されたフィードバック情報を受信し、前記フィードバック情報に基づいて、無線充電プロセスを制御して、前記充電対象機器の無線受信回路の出力電圧を低減するための通信制御回路と、を含む。
【０００９】
第３の側面において、前記充電対象機器は、無線充電装置によって送信された電磁信号を受信し、前記電磁信号を無線受信回路の出力電圧に変換するための無線受信回路と、降圧回路であって、前記無線受信回路の出力電圧を受信し、前記無線受信回路の出力電圧を降圧処理して前記降圧回路の出力電圧を取得し、前記降圧回路の出力電圧に基づいて前記充電対象機器のバッテリを充電するための降圧回路と、を含み、前記制御方法は、前記充電対象機器の温度を検出するステップと、前記充電対象機器の温度が所定の閾値より大きい場合、前記無線充電装置をトリガして無線充電プロセスを制御して、前記無線受信回路の出力電圧を低減するためのフィードバック情報を前記無線充電装置に送信するステップと、を含む。
【００１０】
第４の側面において、無線充電装置の制御方法を提供し、前記無線充電装置は、電磁信号を送信して、充電対象機器のバッテリを無線充電するための無線送信回路を含み、前記制御方法は、前記充電対象機器の温度が所定の閾値より大きい場合に前記充電対象機器によって送信されたフィードバック情報を受信するステップと、前記フィードバック情報に基づいて、無線充電プロセスを制御して、前記充電対象機器の無線受信回路の出力電圧を低減するステップと、を含む。
【図面の簡単な説明】
【００１１】
【図１】従来の無線充電システムの構成を示す一例の図である。
【図２】本発明の一実施例によって提供される無線充電システムの概略構成図である。
【図３】本発明の別の実施例によって提供される無線充電システムの概略構成図である。
【図４】本発明の別の実施例によって提供される無線充電システムの概略構成図である。
【図５】本発明の別の実施例によって提供される無線充電システムの概略構成図である。
【図６】本発明の別の実施例によって提供される無線充電システムの概略構成図である。
【図７】本発明の一実施例によって提供される充電対象機器の概略構成図である。
【図８】本発明の実施例によって提供される無線充電方法の概略フローチャートである。
【図９】本発明の別の実施例によって提供される無線充電方法の概略フローチャートである。
【発明を実施するための形態】
【００１２】
本出願の実施例は、無線充電技術に基づいて充電対象機器を充電し、無線充電技術はケーブルを介さずに電力伝送を完成することができるので、充電準備段階の操作を簡略化することができる。
【００１３】
従来の無線充電技術は、通常に、電源供給機器（アダプタなど）と無線充電装置（無線充電ベースなど）とを接続し、当該無線充電装置を介して電源供給機器の出力電力を無線方式で（電磁信号や電磁波など）充電対象機器に転送して、充電対象機器を無線充電する。
【００１４】
無線充電原理によっては、無線充電方式は、主に、磁気結合（または電磁誘導）、磁気共鳴および無線電波という３つの方式に分けられる。現在、主流の無線充電規格は、ＱＩ規格、パワーマターズアライアンス（ｐｏｗｅｒ  ｍａｔｔｅｒｓ  ａｌｌｉａｎｃｅ、ＰＭＡ）規格、および無線電力アライアンス（ａｌｌｉａｎｃｅ  ｆｏｒ  ｗｉｒｅｌｅｓｓ  ｐｏｗｅｒ、Ａ４ＷＰ）を含む。ＱＩ規格とＰＭＡ規格は、どちらも磁気結合で無線充電する。Ａ４ＷＰ規格は、磁気共鳴で無線充電する。
【００１５】
以下、図１を参照して従来の無線充電方式を説明する。
【００１６】
無線充電システムは、図１に示すように、電源供給機器１１０と、無線充電装置１２０と、充電対象機器１３０とを含み、無線充電装置１２０は、例えば、無線充電ベースであってもよく、充電対象機器１３０は、例えば、端末であってもよい。
【００１７】
電源供給機器１１０が無線充電装置１２０に接続された後、電源供給機器１１０の出力電流は無線充電装置１２０に伝送される。無線充電装置１２０は、内部の無線送信回路１２１によって電源供給機器１１０の出力電流を電磁信号（または電磁波）に変換して送信することができる。例えば、当該無線送信回路１２１は、電源供給機器１１０の出力電流を交流電力に変換し、送信コイルまたは送信アンテナ（図示せず）を介して当該交流電力を電磁信号に変換することができる。
【００１８】
充電対象機器１３０は、無線受信回路１３１によって無線送信回路１２１から送信された電磁信号を受信し、当該電磁信号を無線受信回路１３１の出力電流に変換することができる。例えば、当該無線受信回路１３１は、無線送信回路１２１から送信された電磁信号を受信コイルまたは受信アンテナ（図示せず）を介して交流電力に変換し、当該交流電力の整流および／またはフィルタリングなどの処理を行って、当該交流電力を無線受信回路１３１の出力電圧および出力電流に変換することができる。
【００１９】
従来の無線充電技術では、無線充電する前に、無線充電装置１２０と充電対象機器１３０とが無線送信回路１２１の送信電力を予めネゴシエーションする。無線充電装置１２０と充電対象機器１３０とのネゴシエーションによって決定された電力が５Ｗであるとすると、無線受信回路１３１の出力電圧および出力電流は、通常５Ｖおよび１Ａとなる。無線充電装置１２０と充電対象機器１３０とのネゴシエーションによって決定された電力が１０．８Ｗであるとすると、無線受信回路１３１の出力電圧および出力電流は、通常９Ｖおよび１．２Ａとなる。
【００２０】
無線受信回路１３１の出力電圧は、バッテリ１３３の両端に直接印加するのに適さず、充電対象機器１３０における変換回路１３２によって変換されて充電対象機器１３０内のバッテリ１３３の予期充電電圧および/または充電電流を取得する必要がある。
【００２１】
変換回路１３２は、バッテリ１３３の予期充電電圧および／または充電電流の需要を満たすように、無線受信回路１３１の出力電圧を変換（例えば、定電圧および／または定電流制御）することができる。
【００２２】
一例として、当該変換回路１３２は、集積回路（ｉｎｔｅｇｒａｔｅｄ  ｃｉｒｃｕｉｔ、ＩＣ）のような充電管理モジュールを指してもよい。バッテリ１３３の充電中に、変換回路１３２は、バッテリ１３３の充電電圧および／または充電電流を管理することができる。当該変換回路１３２は、バッテリ１３３の充電電圧および／または充電電流の管理を実現するために、電圧フィードバック機能および／または電流フィードバック機能を含むことができる。
【００２３】
例えば、バッテリの充電プロセスは、トリクル充電段階、定電流充電段階、および定電圧充電段階のうちの１つまたは複数を含むことができる。トリクル充電段階では、変換回路１３２は、電流フィードバック機能を利用して、トリクル充電段階でバッテリ１３３に流入する電流がバッテリ１３３の予期充電電流の大きさ（例えば、第１の充電電流）を満たすようにすることができる。定電流充電段階では、変換回路１３２は、電流フィードバック機能を利用して、定電流充電段階でバッテリ１３３に流入する電流がバッテリ１３３の予期充電電流の大きさ（例えば、第１の充電電流よりも大きい第２の充電電流）を満たすようにすることができる。定電圧充電段階では、変換回路１３２は、電圧フィードバック機能を利用して、定電圧充電段階でバッテリ１３３の両端に印加される電圧の大きさがバッテリ１３３の予期充電電圧の大きさを満たすようにすることができる。
【００２４】
一例として、無線受信回路１３１の出力電圧がバッテリ１３３の予期充電電圧より大きい場合、変換回路１３２は、無線受信回路１３１の出力電圧を降圧処理して、降圧変換された充電電圧がバッテリ１３３の予期充電電圧の需要を満たすようにすることができる。別の例として、無線受信回路１３１の出力電圧がバッテリ１３３の予期充電電圧より小さい場合、変換回路１３２は、無線受信回路１３１の出力電圧を昇圧処理して、昇圧変換された充電電圧がバッテリ１３３の予期充電電圧の需要を満たすようにすることができる。
【００２５】
別の例として、無線受信回路１３１が５Ｖの定電圧を出力することを例とすると、バッテリ１３３が単一のバッテリセル（リチウムバッテリセルを例とし、単一のバッテリセルの充電終止電圧は一般に４．２Ｖである）を含む場合、変換回路１３２（例えばＢｕｃｋ降圧回路）は、無線受信回路１３１の出力電圧を降圧処理して、降圧された充電電圧がバッテリ１３３の予期充電電圧の需要を満たすようにすることができる。
【００２６】
別の例として、無線受信回路１３１が５Ｖの定電圧を出力することを例とすると、バッテリ１３３が直列接続された２つ以上のバッテリセル（リチウムバッテリセルを例とし、単一のバッテリセルの充電終止電圧は一般に４．２Ｖである）を含む場合、変換回路１３２（例えばＢｏｏｓｔ昇圧回路）は、無線受信回路１３１の出力電圧を昇圧処理して、昇圧された充電電圧がバッテリ１３３の予期充電電圧の需要を満たすようにすることができる。
【００２７】
変換回路１３２は、回路の変換効率低下という原因に制約され、変換されていない部分の電気エネルギが熱の形で散逸する。この部分の熱は充電対象機器１３０の内部に蓄積される。充電対象機器１３０の設計スペース及び放熱スペースが非常に小さいことから（例えば、ユーザが使用するモバイル端末の物理的なサイズがますます薄くなるとともに、モバイル端末の性能を向上させるためにモバイル端末内に多数の電子部品が密に配置されている）、変換回路１３２の設計難しさを上げるだけでなく、充電対象機器１３０内に集まっている熱を迅速に除去しにくく、充電対象機器１３０の異常を引き起こす。
【００２８】
例えば、変換回路１３２に蓄積された熱は、変換回路１３２の近傍の電子部品に熱干渉を引き起こし、電子部品の異常動作を引き起こす可能性がある。また例えば、変換回路１３２に蓄積された熱は、変換回路１３２およびその近傍の電子部品の使用寿命を短くする可能性がある。また、例えば、変換回路１３２に蓄積された熱は、バッテリ１３３に熱干渉を引き起こすおそれがあり、そしてバッテリ１３３の異常な充電および放電を引き起こすおそれがある。また、例えば、変換回路１３２に蓄積された熱は、充電対象機器１３０の温度上昇を引き起こし、ユーザの充電時の体験に影響を及ぼすおそれがある。また、例えば、変換回路１３２に蓄積された熱は、変換回路１３２自体の短絡を引き起こすおそれがあり、これにより、無線受信回路１３１の出力電圧がバッテリ１３３に直接印加されて、充電異常を引き起こし、バッテリ１３３が長時間に過圧充電状態にあると、バッテリ１３３の爆発を引き起こすことさえあり、ユーザーの安全に危害を与えることになる。
【００２９】
上記の問題を解決するために、本出願の実施例は、無線充電システムを提供する。当該無線充電システムにおける無線充電装置は、充電対象機器と無線通信して、無線充電装置が無線充電プロセスに対して制御して、無線充電装置の送信電力を充電対象機器内部のバッテリが現在必要とする充電電圧および／または充電電流とマッチングさせる（または充電対象機器内部のバッテリの現在の充電段階とマッチングさせる）ことができる。無線充電装置の送信電力を現在充電対象機器内部のバッテリが現在必要とする充電電圧および／または充電電流とマッチングすることは、電磁信号の送信電力に対する無線充電装置の設定により、当該電磁信号が無線受信回路によって受信された後、無線受信回路の出力電圧および／または出力電流が、充電対象機器内のバッテリの必要とする充電電圧および／または充電電流とマッチングする（または無線受信回路の出力電圧および／または出力電流が、充電対象機器内のバッテリの充電需要を満たす）ことを指してもよい。このように、充電対象機器において、無線受信回路の出力電圧および／または出力電流をバッテリの両端に直接印加して、バッテリを充電することができる（以下、充電対象機器のこのような充電方式を直接充電と言う）。したがって、上記した変換回路が無線受信回路の出力電圧および／または出力電流を変換することによって発生したエネルギ損失、発熱などの問題を回避することができる。
【００３０】
変換回路の発熱問題を解決した後、無線充電プロセスの主な発熱源は、無線送信回路（送信コイルを含む）および無線受信回路（受信コイルを含む）に集中する。
【００３１】
充電電力が２０Ｗに等しく、単一のバッテリセルの充電電圧／充電電流が５Ｖ／４Ａに等しいことを一例として説明する。可能な一実施形態として、無線送信回路は、５Ｖ／４Ａに基づいて電磁信号を生成することができ、これに応じて、無線受信回路は電磁信号を５Ｖ／４Ａの出力電圧／出力電流に変換し、このような低電圧大電流による充電方式は、電気エネルギ伝送中に無線送信回路および無線受信回路に大量の熱が発生することを引き起こす。
【００３２】
本出願の実施例は、無線送信回路および無線受信回路の発熱を低減するために、上記直接充電方式をさらに改善し、無線受信回路とバッテリとの間に降圧回路を設け、降圧回路の出力電圧をバッテリの充電電圧として用いる。充電電力が２０Ｗに等しく、単一のバッテリセルの充電電圧／充電電流が５Ｖ／４Ａに等しいことを一例として説明する。バッテリの充電電圧の需要を満たすために、降圧回路の出力電圧／出力電流を５Ｖ／４Ａに保持する必要があり、降圧回路が半電圧回路であると仮定すると、降圧前の電圧は１０Ｖ／２Ａである。このように、無線送信回路は１０Ｖ／２Ａに基づいて電磁信号を生成し、これに応じて、無線受信回路は、電磁信号を１０Ｖ／２Ａの出力電圧／出力電流に変換し、電力が４Ａから２Ａに減少するので、電気エネルギ伝送中に発生する熱がそれに応じて減少する。 
【００３３】
本出願の実施例によって提供される無線充電システム２００を図２を参照して以下に詳細に説明する。
【００３４】
図２に示すように、本出願の実施例によって提供される無線充電システム２００は、無線充電装置２２０と充電対象機器２３０とを含むことができる。
【００３５】
無線充電装置２２０は、無線送信回路２２１と通信制御回路２２２とを含む。通信制御回路２２２における制御機能は、例えば、マイクロコントロールユニット（Ｍｉｃｒｏ  Ｃｏｎｔｒｏｌ  Ｕｎｉｔ、ＭＣＵ）によって実現することができる。 
【００３６】
無線送信回路２２１は、電磁信号を送信して充電対象機器２３０を無線充電することができる。いくつかの実施例において、無線送信回路２２１は、無線送信駆動回路および送信コイルまたは送信アンテナ（図示せず）を含むことができる。無線送信駆動回路は、比較的高い周波数の交流電力を生成することができ、送信コイルまたは送信アンテナは、比較的高い周波数の交流電力を電磁信号に変換して送信することができる。 
【００３７】
通信制御回路２２２は、無線充電中に充電対象機器２３０と無線通信することができる。具体的には、通信制御回路２２２は、充電対象機器２３０における通信制御回路２３６と通信することができる。本出願の実施例において、通信制御回路２２２と通信制御回路２３６との通信方式、および通信制御回路２２２と通信制御回路２３６とによってインタラクションされる通信情報が特に限定されない。以下、具体的な実施例を組み合わせて詳細に説明する。
【００３８】
充電対象機器２３０は、無線受信回路２３１、バッテリ２３２、降圧回路２３４、温度検出回路２３５、および通信制御回路２３６を含む。通信制御回路２３６における制御機能は、例えば、マイクロコントロールユニット（Ｍｉｃｒｏ  Ｃｏｎｔｒｏｌ  Ｕｎｉｔ、ＭＣＵ）によって実現されてもよいし、ＭＣＵと充電対象機器内部のアプリケーションプロセッサ（ａｐｐｌｉｃａｔｉｏｎ  ｐｒｏｃｅｓｓｏｒ、ＡＰ）との協力によって実現されてもよい。
【００３９】
無線受信回路２３１は、電磁信号を受信し、電磁信号を無線受信回路２３１の出力電圧および出力電流に変換することができる。具体的には、無線受信回路２３１は、受信コイルまたは受信アンテナ（図示せず）と、当該受信コイルおよび受信アンテナに接続された整流回路および／またはフィルタリング回路などの整形回路とを含むことができる。受信アンテナまたは受信コイルは、電磁信号を交流電力に変換することができ、整形回路は、交流電力を無線受信回路２３１の出力電圧および出力電流に変換することができる。
【００４０】
なお、本出願の実施例において、整形回路の具体的な形態、整形された無線受信回路２３１の出力電圧および出力電流の形態は、特に限定されない。
【００４１】
いくつかの実施例において、整形回路は、整流回路およびフィルタリング回路を含むことができ、無線受信回路２３１の出力電圧は、フィルタリング後に得られる安定した電圧であってもよい。他の実施例において、整形回路は、整流回路を含むことができ、無線受信回路２３１の出力電圧は、整流後に得られる脈動波形の電圧であってもよく、当該脈動波形の電圧は、充電対象機器２３０のバッテリ２３２に直接印加されて、バッテリ２３２を充電することができる。無線受信回路２３１の出力電圧を脈動波形の電圧に調整する方式は、様々であり得る。例えば、無線受信回路２３１におけるフィルタリング回路を省略して、整流回路のみを保留することができる。
【００４２】
無線受信回路２３１の出力電流が間欠的にバッテリ２３２を充電することができ、当該無線受信回路２３１の出力電流の周期は、交流電力網のような無線充電システム２００に入力される交流電力の周波数に伴って変化することができ、例えば、無線受信回路２３１の出力電流の周期に対応する周波数は、電力網周波数の整数倍または逆数倍である。また、無線受信回路２３１の出力電流が間欠的にバッテリ２３２を充電することができる場合、無線受信回路２３１の出力電流に対応する電流波形は、電力網に同期する１つまたは１セットのパルスから構成されてもよい。脈動形態の電圧/電流の大きさは、周期的に変動し、従来の定直電力と比較して、リチウムバッテリのリチウム析出現象を低減させ、バッテリの使用寿命を向上させ、バッテリの分極効果の低減に有利であり、充電速度を向上させ、バッテリの発熱を減少させ、充電対象機器の充電時の安全および信頼性を確保することができる。
【００４３】
降圧回路２３４は、無線受信回路２３１の出力電圧を受信し、無線受信回路２３１の出力電圧を降圧処理して降圧回路２３４の出力電圧および出力電流を取得し、降圧回路２３４の出力電圧および出力電流に基づいてバッテリ２３２を充電することができる。
【００４４】
降圧回路２３４の実現形態は様々であり得る。一例として、降圧回路２３４はＢｕｃｋ回路とすることができる。別の例として、降圧回路２３４は、チャージポンプ（ｃｈａｒｇｅ  ｐｕｍｐ）とすることができる。
【００４５】
降圧回路２３４を使用することにより、無線伝送プロセス中に発生する電圧（例えば無線受信回路の出力電圧など）を高い電圧に保つため、システムの発熱をさらに低減する。
【００４６】
降圧回路２３４の入力電圧と出力電圧との間の電圧差が小さいほど、降圧回路２３４の動作効率高くなり、発熱量が小さくなり、それに応じて、降圧回路２３４の入力電圧と出力電圧との間の電圧差が大きいほど、降圧回路２３４の動作効率が低くなり、発熱量が大きくなる。したがって、動作効率が低い降圧回路２３４にとっては、その降圧プロセスは比較的多くの熱を発生させることができる。
【００４７】
上記の考慮に基づいて、本出願の実施例は、温度検出回路２３５を使用し、通信制御回路２３６は、温度検出回路２３５に基づいて充電対象機器２３０の温度を検出して、温度フィードバックメカニズムを有する無線充電システムを形成する。従って、充電対象機器２３０の温度を監視し、充電対象機器２３０の温度が一定の閾値より大きい場合、降圧回路２３４の動作効率を迅速に向上させ、システムの発熱量を低減することができる。
【００４８】
以下には、図２を参照して、温度検出回路２３５と通信制御回路２３６との温度監視メカニズムを詳細に説明する。
【００４９】
温度検出回路２３５は、充電対象機器２３０の温度を検出するために用いられることができる。温度検出回路２３５の実現形態は様々であり得る。例えば、温度検出回路２３５は、温度検出抵抗器を含むことができる。当該温度検出抵抗器は、例えばサーミスタであってもよい。温度検出回路２３５は、サーミスタの抵抗値に基づいて充電対象機器２３０の温度を決定することができる。
【００５０】
本出願の実施例では、温度検出回路２３５の充電対象機器２３０における位置を具体的に限定しない。一例として、温度検出回路２３５は、充電対象機器２３０内部の熱源の近くに設けることができる。例えば、温度検出回路２３５における温度検出抵抗器を降圧回路２３４の近く設けることができる。降圧回路２３４がＢＵＣＫ  ＩＣであることを例として、ＢＵＣＫ  ＩＣに温度検出抵抗器を付加することができる。この場合、充電対象機器２３０の温度は、降圧回路２３４の温度として理解することができ、すなわち降圧回路２３４の温度を充電対象機器２３０の温度と見なすことができる。
【００５１】
通信制御回路２３６は、充電対象機器２３０の温度が所定の閾値より大きい場合、無線充電装置２２０にフィードバック情報を送信するために用いられることができ、フィードバック情報は、無線充電装置２２０をトリガして無線充電プロセスを制御して、無線受信回路２３１の出力電圧を低減するために用いられる（本明細書における「無線受信回路２３１の出力電圧を低減する」ことは、降圧回路２３４の入力電圧と出力電圧との差を低減することで代替することができ、又は、降圧回路２３４の動作効率を向上させることで代替することができる）。
【００５２】
なお、無線充電プロセス中、充電電圧と充電電流に対するバッテリ２３２の需要は、通常、バッテリ２３２の現在の充電段階によって决定される。バッテリ２３２の充電電圧と充電電流は、降圧回路２３４の出力電圧と出力電流であるため、降圧回路２３４の出力電圧と出力電流も、バッテリ２３２の現在の充電段階によって决定される。降圧回路２３４の動作効率を向上させることができるために、降圧回路２３４の入力電圧と出力電圧との間の電圧差を低減する必要がある。降圧回路２３４の出力電圧は、バッテリ２３２の現在の充電段階によるものであるため、任意に調整することができなく、したがって、降圧回路２３４の入力電圧と出力電圧との間の電圧差を低減するために、降圧回路２３４の入力電圧、すわなち無線受信回路２３１の出力電圧を低減することができる（本出願の実施例では、無線受信回路２３１の出力電圧と降圧回路２３４の入力電圧は、同じ電圧である）。
【００５３】
したがって、充電対象機器２３０の温度が所定の閾値より大きい場合、本出願の実施例は、通信制御回路２３６によって無線充電装置２２０にフィードバック情報を送信し、無線充電プロセスをトリガして制御して、無線受信回路２３１の出力電圧を低減する。
【００５４】
無線充電装置２２０が、フィードバック情報に基づいて、無線受信回路２３１の出力電圧を低減する方式は、様々であり得る。
【００５５】
一例として、無線送信装置２２０は、フィードバック情報に基づいて、無線送信回路２２１のデューティ比を低減して、無線受信回路２３１の出力電圧を低減することができる。
【００５６】
別の例として、無線送信装置２２０は、フィードバック情報に基づいて、無線送信回路２２１の送信周波数を調整して、無線受信回路２３１の出力電圧を低減することができる。
【００５７】
別の例として、無線送信装置２２０は、電圧変換回路２２４の出力電圧を低減して、無線受信回路２３１の出力電圧を低減することができる。電圧変換回路２２４の構成と機能の詳細については、以下の図５〜図６の説明を参照する。
【００５８】
なお、無線送信装置２２０は、上記の方式のいずれかの方式を使用して無線受信回路２３１の出力電圧を低減することができ、上記の方式を組み合わせて無線受信回路２３１の出力電圧を低減することもできる。例えば、無線送信装置２２０は、電圧変換回路２２４の出力電圧を低減する方式のみで無線受信回路２３１の出力電圧を低減する目的を達することができ、また、無線送信装置２２０は、まず、電圧変換回路２２４の出力電圧を低減する方式によって無線受信回路２３１の出力電圧（又は降圧回路２３４の動作効率）を粗調整してから、無線送信回路のデューティ比および／または送信周波数を調整することによって、無線受信回路２３１の出力電圧（又は降圧回路２３４の動作効率）を微調整する。
【００５９】
本出願の実施例は、フィードバック情報の具体的な内容に対して具体的に限定しない。例えば、フィードバック情報は、充電対象機器２３０の温度を指示するための情報であってもよく、また、フィードバック情報は、充電対象機器２３０温度が高すぎることを指示するための情報であってもよい。無線充電装置２２０が電圧変換回路２２４を低減する方式によって無線受信回路２３１の出力電圧を低減することを例とすると、フィードバック情報は、電圧変換回路２２４の出力電圧が高すぎることを指示する情報であってもよい。無線充電装置２２０が無線送信回路２２１の送信周波数および／またはデューティ比を調整する方式によって無線受信回路２３１の出力電圧を低減することを例とすると、フィードバック情報は、無線送信回路２２１の送信周波数および／またはデューティ比が高すぎることを指示する情報であってもよい。
【００６０】
選択可能に、通信制御回路２３６は、通信制御回路２２２が無線充電プロセスを制御して降圧回路２３４の出力電圧および／または出力電流をバッテリ２３２が現在必要とする充電電圧および／または充電電流とマッチングするように、通信制御回路２２２と無線通信するために用いられることもできる。
【００６１】
言い換えると、通信制御回路２３６は、通信制御回路２２２が無線充電プロセスを制御して降圧回路２３４の出力電圧および／または出力電流がバッテリ２３２のリクル充電段階、定電圧充電段階、定電流充電段階のうちの少なくとも一つの充電の需要を満たすように、通信制御回路２２２と無線通信するために用いられることができる。
【００６２】
通信制御回路２３６は、何らかの検出回路（例えば電圧検出回路および／または電流検出回路）又は何らかの検出方式によって、降圧回路２３４の出力電圧および／または出力電流を取得し、降圧回路２３４の出力電圧および／または出力電流に基づいて通信制御回路２２２と上記の無線通信を行うことができる。
【００６３】
本出願の実施例で使用される充電対象機器は端末を指してもよく、当該「端末」は、有線回路を介して(例えば、公衆交換電話網(ｐｕｂｌｉｃ ｓｗｉｔｃｈｅｄ ｔｅｌｅｐｈｏｎｅ ｎｅｔｗｏｒｋ、ＰＳＴＮ)、デジタル加入者線(ｄｉｇｉｔａｌｓｕｂｓｃｒｉｂｅｒ ｌｉｎｅ、ＤＳＬ)、デジタルケーブル、直接ケーブル接続、および／または別のデータ接続／ネットワークを介し)接続するか、および／または(例えば、セルラーネットワーク、無線ローカルエリアネットワーク(ｗｉｒｅｌｅｓｓ ｌｏｃａｌ ａｒｅａ ｎｅｔｗｏｒｋ、ＷＬＡＮ)、ハンドヘルドデジタルビデオ放送(ｄｉｇｉｔａｌ ｖｉｄｅｏ ｂｒｏａｄｃａｓｔｉｎｇ ｈａｎｄｈｅｌｄ、ＤＶＢ−Ｈ)ネットワークのデジタルＴＶネットワーク、衛星ネットワーク、振幅変調−周波数変調（ａｍｐｌｉｔｕｄｅ  ｍｏｄｕｌａｔｉｏｎ−ｆｒｅｑｕｅｎｃｙ  ｍｏｄｕｌａｔｉｏｎ、ＡＭ−ＦＭ）ブロードキャストトランスミッタ、および／または別の通信端末の)無線インターフェイスを介して通信信号を受信／送信するように構成される装置を含むが、これらに限定されない。無線インターフェイスを介して通信するように構成される通信端末は、「無線通信端末」、「無線端末」および／または「モバイル端末」と呼ばれてもよい。例として、モバイル端末は、衛星またはセルラー電話と、セルラー無線電話およびデータ処理、ファックスおよびデータ通信能力を組み合わせ得るパーソナルコミュニケーションシステム(ｐｅｒｓｏｎａｌ ｃｏｍｍｕｎｉｃａｔｉｏｎ ｓｙｓｔｅｍ、ＰＣＳ)端末と、無線電話、ポケットベル、インターネット／イントラネットアクセス、Ｗｅｂブラウザ、メモ、カレンダーおよび／または全地球測位システム(ｇｌｏｂａl ｐｏｓｉｔｉｏｎｉｎｇ ｓｙｓｔｅｍ、ＧＰＳ)レシーバーを含むパーソナルデジタルアシスタント(Ｐｅｒｓｏｎａｌ Ｄｉｇｉｔａｌ Ａｓｓｉｓｔａｎｔ、ＰＤＡ)と、通常のラップトップレシーバーおよび／またはハンドヘルドレシーバまたは無線電話レシーバを含む他の電子装置を含むが、これらに限定されない。さらに、本出願の実施例で使用される充電対象の装置または端末は、パワーバンク（ｐｏｗｅｒ）をさらに含むことができ、当該パワーバンクは、無線充電装置の充電を受けてエネルギを蓄積して他の電子装置にエネルギを供給することができる。
【００６４】
本出願の実施例において、無線充電装置２２０と充電対象機器２３０との通信方式および通信順番が特に限定されない。
【００６５】
選択可能に、いくつかの実施例において、無線充電装置２２０と充電対象機器２３０（または通信制御回路２３６と通信制御回路２２２）との無線通信は、一方向無線通信であってもよい。例えば、バッテリ２３２の無線充電中に、充電対象機器２３０が通信の開始側として、無線充電装置２２０が通信の受信者として規定することができる。例えば、バッテリの定電流充電段階において、充電対象機器２３０は、バッテリ２３２の充電電流（すなわち無線受信回路２３１の出力電流）をリアルタイムで検出することができる。バッテリ２３２の充電電流がバッテリの現在必要とする充電電流とマッチングしない場合、充電対象機器２３０は、無線充電装置２２０に調整情報を送信して、無線充電装置２２０が無線送信回路２２１の送信電力を調整することを指示する。
【００６６】
選択可能に、いくつかの実施例において、無線充電装置２２０と充電対象機器２３０（または通信制御回路２３６と通信制御回路２２２）との無線通信は、二方向無線通信であってもよい。二方向無線通信は、一般に、受信側が、送信側によって開始された通信要求を受信した後に、送信側に応答情報を送信することを要求し、二方向通信メカニズムは通信プロセスをより安全にすることができる。
【００６７】
本出願の実施例の上記説明は、無線充電装置２２０（無線充電装置２２０内の通信制御回路２２２）および充電対象機器２３０（充電対象機器２３０内の通信制御回路２３６）のマスタスレーブを限定するものではない。言い換えると、無線充電装置２２０と充電対象機器２３０とのいずれか一方がマスタ機器側として二方向通信会話を開始することができ、これに応じて、他方がスレーブ機器側としてマスタ機器側から開始された通信に対して第１の応答または第１の返事を行うことができる。実行可能な方式として、通信中に無線充電装置２２０と充電対象機器２３０との間のリンク状況に応じてマスター装置およびスレーブ機器を決定することができる。例えば、無線充電装置２２０が充電対象機器２３０に情報を送信する無線リンクが上りリンクであり、充電対象機器２３０が無線充電装置２２０に情報を送信する無線リンクが下りリンクであると仮定すると、上りリンクのリンク品質が良い場合、無線充電装置２２０を通信のマスタ機器とすることができ、下りリンクのリンク品質が良い場合、充電対象機器２３０を通信のスレーブ機器とすることができる。
【００６８】
本出願の実施例において、無線充電装置２２０と充電対象機器２３０との二方向通信の具体的な実現形態が限定されない。すなわち、無線充電装置２２０と充電対象機器２３０との何れか一方は、マスタ機器側として通信会話を開始し、これに応して、他方がスレーブ機器側としてマスタ機器側から開始された通信に対して第１の応答または第１の返事を行い、同時にマスタ機器側がスレーブ機器側からの第１の応答または第１の返事に対して第２の応答を行うことができたとき、マスタ機器とスレーブ機器との間で１回の通信ネゴシエーションプロセスが完了したと見なすことができる。
【００６９】
マスタ機器側がスレーブ機器の通信会話に対する第１の応答または第１の返事に基づいて第２の応答を行うことができる一方式として、マスタ機器側が、スレーブ機器側の通信会話に対する第１の応答または第１の返事を受信し、受信したスレーブ機器の第１の応答または第１の返事に応じた第２の応答を行う方式であってもよい。
【００７０】
マスタ機器側がスレーブ機器側の通信会話に対する第１の応答または第１の返事に基づいて更なる第２の応答を行うことができる一方式として、マスタ機器側が、スレーブ機器側の通信会話に対する第１の応答または第１の返事を所定の時間内に受信しなくても、マスタ機器側も、スレーブ機器の通信会話に対する第１の応答または第１の返事に応じた第２の応答を行う方式であってもよい。
【００７１】
選択可能に、いくつかの実施例において、充電対象機器２３０がマスタ機器として通信会話を開始し、無線充電装置２２０がスレーブ機器側としてマスタ機器側から開始された通信会話に対して第１の応答または第１の返事を行った後、充電対象機器２３０が、無線充電装置２２０の第１の応答または第１の応答に応じた第２の応答を行わなくても、無線充電装置２２０と充電対象機器２３０との間で１回の通信ネゴシエーションプロセスが完了したと見なすことができる。
【００７２】
本出願の実施例において、無線充電装置２２０における通信制御回路２２２と、充電対象機器２３０における通信制御回路２３６との無線通信方式が特に限定されない。例えば、通信制御回路および通信制御回路は、ブルートゥース（ｂｕｌｅｔｏｏｔｈ）、無線フィデリティ（ｗｉｒｅｌｅｓｓ  ｆｉｄｅｌｉｔｙ、Ｗｉ−Ｆｉ）またはバックスキャッタ（ｂａｃｋｓｃａｔｔｅｒ）変調方式（または電力負荷変調方式）に基づく無線通信を行うことができる。
【００７３】
本出願の実施例では、通信制御回路２３６と通信制御回路２２２との間の通信内容を限定せず、温度に関連するフィードバック情報以外に、他の通信情報を含むこともでき、以下、具体的な実施例を組み合わせて詳細に説明する。
【００７４】
一例として、通信制御回路２３６は、降圧回路２３４の出力電圧および／または出力電流を通信制御回路２２２に送信することができる。さらに、通信制御回路２３６は、通信制御回路２２２にバッテリ状態情報を送信することができ、バッテリ状態情報は、充電対象機器２３０内のバッテリ２３２の現在電力残量および／または現在電圧を含む。通信制御回路２２２は、まず、バッテリ２３２の状態情報に基づいて、バッテリ２３２の現在の充電段階に決定され、そしてバッテリ２３２が現在必要とする充電電圧および／または充電電流とマッチングする目標充電電圧および／または目標充電電流を決定することができる。次に、通信制御回路２２２は、通信制御回路２３６によって送信された降圧回路２３４の出力電圧および／または出力電流を目標充電電圧および／または目標充電電流と比較して、降圧回路２３４の出力電圧および／または出力電流がバッテリ２３２の現在必要とする充電電圧および／または充電電流とマッチングするか否かを決定し、降圧回路２３４の出力電圧および／または出力電流がバッテリ２３２の現在必要とする充電電圧および／または充電電流とマッチングしない場合、降圧回路２３４の出力電圧および／または出力電流がバッテリ２３２の現在必要とする充電電圧および／または充電電圧とマッチングするまで無線送信回路２２１の送信電力を調整することができる。
【００７５】
別の例として、通信制御回路２３６は、無線送信回路２２１の送信電力を調整することを指示するための調整情報を通信制御回路２２２に送信することができる。例えば、通信制御回路２３６は、無線送信回路２２１の送信電力を上げることを通信制御回路２２２に指示することができる。また、例えば、無線送信回路２２１の送信電力を低減することを通信制御回路２２２に指示することができる。より具体的には、無線充電装置２２０は、無線送信回路２２１の送信電力のランクを複数設定することができ、通信制御回路２２２は、降圧回路２３４の出力電圧および／または出力電流をバッテリ２３２が現在必要とする充電電圧および／または充電電流とマッチングするまで、調整情報を受信する度に無線送信回路２２１の送信電力のランクを１ランク調整する。
【００７６】
上記の通信内容に加えて、通信制御回路２２２と通信制御回路２３６とは、他の多くの通信情報をインタラクションすることができる。いくつかの実施例において、通信制御回路２２２と通信制御回路２３６とは、セキュリティ保護、異常検出、または故障処理の情報、例えば、バッテリ２３２の温度情報、過電圧保護または過電流保護に入ることを示す情報、電力伝送効率情報（当該電力伝送効率情報は、無線送信回路２２１と無線受信回路２３１との間の電力伝送効率を示すことができる）をインタラクションすることができる。
【００７７】
例えば、バッテリ２３２の温度が高すぎる場合、通信制御回路２２２および／または通信制御回路２３６は、充電回路を制御して、無線充電を停止させるなど、保護状態に入ることができる。また、例えば、通信制御回路２２２が通信制御回路２３６から送信された過電圧保護または過電流保護の指示情報を受信した後、通信制御回路２２２が送信電力を減少させるか、または無線送信回路２２１を動作を停止するように制御することができる。また、例えば、通信制御回路２２２が通信制御回路２３６から送信された電力伝送効率情報を受信した後、電力伝送効率が所定の閾値より低い場合、無線送信回路２２１を動作を停止するように制御するとともに、ユーザにこの事件を報知することができ、例えば、ディスプレイによって電力伝送効率が低すぎることを示すか、またはインジケータライトによって電力伝送効率が低すぎることを示すことにより、ユーザは無線充電環境を調整することができる。
【００７８】
いくつかの実施例において、通信制御回路２２２および通信制御回路２３６は、無線送信回路２２１の送信電力を調整するの他の情報、例えば、バッテリ２３２の温度情報、降圧回路２３４の出力電圧および／または出力電流ピーク値または平均値を示す情報、電力伝送効率情報（当該電力伝送効率情報が無線送信回路２２１と無線受信回路２３１との間の電力伝送効率を示すことができる）などをインタラクションすることができる。
【００７９】
例えば、通信制御回路２３６は、通信制御回路２２２に電力伝送効率情報を送信することができ、通信制御回路２２２は、さらに、電力伝送効率情報に基づいて無線送信回路２２１の送信電力の調整幅を決定する。具体的には、電力伝送効率情報が無線送信回路２２１と無線受信回路２３１との間の電力伝送効率が低いことを示す場合、通信制御回路２２２は、無線送信回路２２１の送信電力の調整幅を広げて、回路２２１の送信電力を急速に目標電力に達させることができる。
【００８０】
別の例として、無線受信回路２３１が脈動波形の電圧及び／または電流を出力する場合、通信制御回路２３６は、降圧回路２３４の出力電圧および／または出力電流ピーク値または平均値を示す情報を通信制御回路２２２に送信することができ、通信制御回路２２２は、降圧回路２３４の出力電圧および／または出力電流ピーク値または平均値がバッテリの現在必要とする充電電圧および／または充電電流とマッチングするか否かを判断することができる。マッチングしない場合、無線送信回路２２１の送信電力を調整することができる。
【００８１】
別の例として、通信制御回路２３６は、バッテリ２３２の温度情報を通信制御回路２２２に送信することができる。バッテリ２３２の温度が高すぎる場合、通信制御回路２２２は、無線送信回路２２１の送信電力を下げて、無線受信回路２３１の出力電流を小さくし、バッテリ２３２の温度を低くすることができる。
【００８２】
本出願の実施例によって提供される無線充電装置２２０のバッテリ２３２は、１つのバッテリコアを含み、互いに直列接続されたＮ個のバッテリコア（Ｎは１より大きい正の整数）を含むこともできる。Ｎ＝２を例とすると、図３に示すように、バッテリ２３２は、バッテリコア２３２ａとバッテリコア２３２ｂとを含み、バッテリコア２３２ａとバッテリコア２３２ｂとは直列接続されている。充電電力が２０Ｗに等しく、単一のバッテリコアの充電電圧が５Ｖに等しいことを例として説明する。直列接続されたダブルバッテリコアの充電電圧の需要を満たすために、降圧回路２３４の出力電圧／出力電流を１０Ｖ／２Ａに維持する必要がある。このように、無線送信回路は１０Ｖ／２Ａに基づいた電磁信号を生成し、これに応じて、無線受信回路は、電磁信号を１０Ｖ／２Ａの出力電圧／出力電流に変換し、電力が４Ａから２Ａに減少するので、電気エネルギ伝送中に発生する熱がそれに応じて減少する。図３は、Ｎ＝２を例として説明したが、実際には、Ｎの値は３であってもよいし、３以上の正の整数であってもよい。直列接続されるバッテリセルが多いほど、無線送信回路２２１および無線受信回路２３１を通過する電気エネルギによって発生する熱の量は少なくなる。
【００８３】
選択可能に、いくつかの実施例において、充電対象機器は、図２に示す降圧回路２３４を含み、充電対象機器のバッテリ２３２は、互いに直列接続されたＮ個のバッテリセル（Ｎは１より大きい正の整数である）を含む。依然として充電電力が２０Ｗに等しく、単一のバッテリコアの充電電圧が５Ｖに等しいことを例として説明する。直列接続されたダブルバッテリコアの充電電圧の需要を満たすために、降圧回路２３４の出力電圧／出力電流を１０Ｖ／２Ａに維持する必要があり、降圧回路２３４が半電圧回路であると仮定すると、降圧前の電圧は２０Ｖ／１Ａである。このように、無線送信回路は２０Ｖ／１Ａに基づいた電磁信号を生成し、これに応じて、無線受信回路は、電磁信号を２０Ｖ／１Ａの出力電圧／出力電流に変換し、電流が４Ａから１Ａに減少するので、電気エネルギ伝送中に発生する熱がさらに減少する。
【００８４】
前述したように、本出願の実施例によって提供される無線充電装置２２０は、充電中に無線送信回路２２１の送信電力を絶えずに調整することにより、降圧回路２３４の出力電圧および／または出力電流をバッテリ２３２が現在必要とする充電電圧および／または充電電流とマッチングングするようにする。本出願の実施例において、無線送信回路２２１の送信電力を調整する方式が特に限定されない。例えば、通信制御回路２２２は、電源供給機器２１０と通信することにより、電源供給機器２１０の出力電圧および／または出力電流を調整して、無線送信回路２２１の送信電力を調整することができる。また、例えば、通信制御回路２２２は、電源供給機器２１０から供給される最大出力電力から無線送信回路２２１によって抽出された電力量を調整することにより、無線送信回路２２１の送信電力を調整することができる。また、例えば、無線充電装置２２０は、交流電力（例えば、２２０Ｖの交流電力）を直接受信することができ、通信制御回路２２２は、通信制御回路２３６のフィードバックに基づいて交流電力を、必要とする電圧および／または電流に直接変換することができる。無線送信回路２２１の送信電力を調整する方式について、図４〜図６を参照して以下に詳細に説明する。
【００８５】
図４は、無線送信回路２２１の送信電力を調整する方式の一例である。図４を参照すると、無線充電装置２２０は、充電インターフェース２２３をさらに含むことができる。充電インターフェース２２３は、外部の電源供給機器２１０に接続することができる。無線送信回路２２１は、さらに、電源供給機器２１０の出力電圧および出力電流に基づいて電磁信号を生成することができる。通信制御回路２２２は、さらに、電源供給機器２１０と通信して、電源供給機器２１０の最大出力電力についてネゴシエーションし、無線充電中に最大出力電力から無線送信回路２２１によって抽出される電力量を調整して、無線送信回路２２１の送信電力を調整することができる。
【００８６】
本出願の実施例において、通信制御回路２２２は、出力電力が調整可能な電源供給機器２１０と通信して、当該電源供給機器２１０の最大出力電力についてネゴシエーションする。ネゴシエーションが完了した後、電源供給機器２１０は、当該最大出力電力に従って、出力電圧および出力電流を無線充電装置２２０に供給することができる。充電中に、通信制御回路２２２は、実際の需要に応じて、当該最大出力電力から一定の電力量を抽出して、無線充電に使用することができる。すなわち、本出願の実施例は、無線送信回路２２１の送信電力調整の制御権を通信制御回路２２２に割り当て、通信制御回路２２２は、充電対象機器２３０のフィードバック情報を受信した直後に、送信回路２２１の送信電力を調整することができ、調整速度が速く、効率が高いという利点を有する。
【００８７】
本出願の実施例において、通信制御回路２２２が電源供給機器２１０から供給される最大出力電力から電力量を抽出する方式が特に限定されない。例えば、無線送信装置２２０内部に電圧変換回路（例えば電力調整回路であってもよい）を設け、当該電圧変換回路が送信コイルまたは送信アンテナに接続されて、送信コイルまたは送信アンテナによって受信される電力を調整することができる。当該電圧変換回路は、例えば、パルス振幅変調（ｐｕｌｓｅ  ｗｉｄｔｈ  ｍｏｄｕｌａｔｉｏｎ、ＰＷＭ）コントローラと、スイッチングユニットとを含むことができる。通信制御回路２２２は、ＰＷＭコントローラから出力される制御信号のデューティ比を調整する、および／またはイッチングユニットのスイッチング周波数を制御することにより、無線送信回路２２１の送信電力を調整することができる。
【００８８】
なお、図４の実施例において、代替方式として、電源供給機器２１０が大きな一定の電力（例えば４０Ｗ）を直接出力することもできるので、通信制御回路２２２は、その最大出力電力について電源供給機器２１０とネゴシエーションする必要がなく、電源供給機器２１０から供給される一定の電力から無線送信回路２２１によって抽出される電力量を直接調整すればよい。
【００８９】
本出願において、電源供給機器２１０のタイプが特に限定されない。例えば、電源供給機器２１０は、アダプタ、パワーバンク（ｐｏｗｅｒ  ｂａｎｋ）、車載充電器、またはコンピュータとすることができる。
【００９０】
本出願において、充電インターフェース２２３のタイプが特に限定されない。選択可能に、いくつかの実施例において、当該充電インターフェース２２３は、ＵＳＢインターフェースとすることができる。当該ＵＳＢインターフェースは、例えば、ＵＳＢ２．０インターフェース、マイクロＵＳＢインターフェース、またはＵＳＢ ＴＹＰＥーＣインターフェースとすることができる。選択可能に、別の実施例において、当該充電インターフェース２２３は、ｌｉｇｈｔｎｉｎｇインターフェース、または充電に使用することができる他の任意のタイプのパラレルインターフェースおよび／またはシリアルインターフェースとすることもできる。
【００９１】
本出願の実施例において、通信制御回路２２２と電源供給機器２１０との通信方式が特に限定されない。一例として、通信制御回路２２２は、充電インタフェース以外の通信インタフェースを介して電源供給機器２１０に接続され、当該通信インタフェースを介して電源供給機器２１０と通信することができる。別の例として、通信制御回路２２２は、無線方式で電源供給機器２１０と通信することができる。例えば、通信制御回路２２２は、電源供給機器２１０と近距離無線通信（ｎｅａｒ  ｆｉｅｌｄ  ｃｏｍｍｕｎｉｃａｔｉｏｎ、ＮＦＣ）を行うことができる。さらに別の例として、通信制御回路２２２は、別途な通信インタフェースまたは他の無線通信モジュールを設ける必要なく、充電インタフェース２２３を介して電源供給機器２１０と通信することができ、これによって無線充電装置２２０の実現を簡易化することができる。例えば、充電インターフェース２２３は、ＵＳＢインターフェースであり、通信制御回路２２２は、当該ＵＳＢインターフェース内のデータライン（例えば、Ｄ＋および／またはＤ−ライン）を介して電源供給機器２１０と通信することができる。さらに例えば、充電インターフェース２２３は、電力伝送（ｐｏｗｅｒ  ｄｅｌｉｖｅｒｙ、ＰＤ）通信プロトコルをサポートするＵＳＢインターフェース（例えば、ＵＳＢ ＴＹＰＥ − Ｃインターフェース）とすることができ、通信制御回路２２２および電源供給機器２１０は、ＰＤ通信プロトコルに基づいて通信することができる。
【００９２】
本出願において、電源供給機器２１０が出力電力を調整する方式が特に限定されない。例えば、電源供給機器２１０内部に電圧フィードバックループおよび電流フィードバックループを設けることにより、実際の需要に応じて、その出力電圧および／または出力電流を調整することができる。
【００９３】
図５は、本出願の実施例によって提供される無線送信回路２２１の送信電力を調整する方式の別の一例を示す図である。図４とは異なり、図５に対応する実施例は、電源供給機器２１０の最大出力電力を制御するのではなく、電源供給機器２１０の出力電力を比較的正確に制御して、電源供給機器２１０の出力電力が現在の電力の需要を直接満たすようにすることを意図する。さらに、図４の実施例とは異なり、図５の実施例は、無線送信回路２２１の送信電力調整の制御権を電源供給機器２１０に割り当てて、電源供給機器２１０が出力電圧および／または出力電流を変更する方式で無線送信回路２２１の送信電力を調整する。このような調整方式は、無線充電装置２２０の必要とする電力の分だけが電源供給機器２１０によって供給され、電力の無駄がないという利点を有する。以下、図５を参照しながら詳細に説明する。
【００９４】
図５に示すように、本出願の実施例によって提供される無線充電装置２２０は、充電インターフェース２２３および電圧変換回路２２４をさらに含むことができる。充電インターフェース２２３は、電源供給機器２１０に接続することができる。電圧変換回路２２４は、電源供給機器２１０の出力電圧を受信し、電源供給機器２１０の出力電圧を変換して電圧変換回路２２４の出力電圧および出力電流を取得することができる。無線送信回路２２１は、さらに、電圧変換回路２２４の出力電圧および出力電流に基づいて電磁信号を生成することができる。通信制御回路２２２は、さらに、電源供給機器２１０と通信して、電源供給機器２１０の出力電圧および／または出力電流についてネゴシエーションすることができる。
【００９５】
本出願の実施例において、高電圧低電流の方式でエネルギ伝送を行うが、このようなエネルギ伝送方式では、無線送信回路２２１の入力電圧（例えば１０Ｖまたは２０Ｖ）に対する要求が高く、電源供給機器２１０の最大出力電圧が回路２２１の入力電圧の需要を満たすことができない場合、電圧変換回路２２４を設けることによって、無線送信回路２２１の入力電圧が所期の入力電圧に到達することができる。当然ながら、代替として、電源供給機器２１０の出力電圧が無線送信回路２２１の入力電圧の需要を満たすことができる場合、電圧変換回路２２４を省略して無線充電装置２２０の実現を簡易化することもできる。
【００９６】
電圧変換回路２２４は昇圧回路であってもよく、電圧変換回路２２４の昇圧倍数および降圧回路２３４の降圧倍数の設定は、電源供給機器２１０が供給できる出力電圧、バッテリ２３２の必要とする充電電圧などのパラメータに関連し、二者が、等しくてもよいし、等しくなくてもよく、本出願の実施例において、特に限定されない。一実現形態として、電圧変換回路２２４の昇圧倍数と降圧回路２３４の降圧倍数とを等しく設定することができる。例えば、電圧変換回路２２４は、電源供給機器２１０の出力電圧を２倍に昇圧するための２倍電圧回路であってもよく、降圧回路２３４は、無線受信回路２３１の出力電圧を半分にするための半電圧回路であってもよい。
【００９７】
本出願の実施例では、電圧変換回路２２４の昇圧倍数と降圧回路２３４の降圧倍数とを１：１に設定している。このような設定方式により、降圧回路２３４の出力電圧および出力電流が電源供給機器２１０の出力電圧および出力電流にそれぞれ一致することができ、通信制御回路２２２、２３６を簡易化する上で有利である。例えば、バッテリ２３２の充電電流の需要が５Ａの場合を例とし、通信制御回路２３６は、降圧回路２３４の出力電流が４．５Ａであることを取得した場合、降圧回路２３４の出力電流が５Ａに到達するように電源供給機器２１０の出力電力を調整する必要がある。降圧回路２３４の降圧倍数に対する電圧変換回路２２４の昇圧倍数の比が１：１に等しくない場合には、電源供給機器２１０の出力電力を調整する際に通信制御回路２２２または通信制御回路２３６は、降圧回路２３４の現在出力電流と予期の値との差分に基づいて、電源供給機器２１０の出力電力の調整値を再計算する必要がある。本出願の実施例では、降圧回路２３４の降圧倍数に対する電圧変換回路２２４の昇圧倍数の比を１：１に設定しているので、通信制御回路２３６は、出力電流を５Ａに増加させるように通信制御回路２２２に通知すればよい。これにより、無線充電通路のフィードバック調整方式が簡単になる。
【００９８】
図５の実施例において、無線充電装置２２０は、電源供給機器２１０の出力電圧および／または出力電流を調整する必要があるか否かを能動的に決定することができる。他の実施例において、無線充電装置２２０は、電源供給機器２１０と充電対象機器２３０との間のブリッジとして機能することができ、二者間で情報を転送することを主に担う。
【００９９】
例えば、無線充電中に、通信制御回路２２２は、充電対象機器２３０と通信して、電源供給機器２１０の出力電圧および／または出力電流を調整する必要があるか否かを決定する。電源供給機器２１０の出力電圧および／または出力電流を調整する必要がある場合、通信制御回路２２２は、電源供給機器２１０と通信して、電源供給機器２１０の出力電圧および／または出力電流を調整することを電源供給機器２１０に指示する。
【０１００】
さらに、例えば、無線充電中に、無線充電装置２２０内部の通信制御回路２２２は、充電対象機器２３０と無線通信して、電源供給機器２１０の出力電圧および／または出力電流を調整することを指示するための調整情報を取得する。通信制御回路２２２は、電源供給機器２１０と通信して、調整情報を電源供給機器２１０に送信することにより、電源供給機器２１０は、調整情報に基づいて電源供給機器の出力電圧および／または出力電流を調整する。
【０１０１】
無線充電装置２２０と充電対象機器２３０との通信方式とが類似しており、無線充電装置２２０（または通信制御回路２２２）と電源供給機器２１０との通信が、一方向通信であってもよいし、二方向通信であってもよいことを理解されたい。本出願の実施例において特に限定されない。
【０１０２】
さらに、電源供給機器の出力電流は、定直流電流、脈動直流電流または交流電流であってもよいことを理解されたい。本出願の実施例において特に限定されない。
【０１０３】
図５の実施例において、通信制御回路２２２は無線送信回路２２１に接続されているので、動作を開始するように無線送信回路２２１を制御したり、無線充電プロセスが異常である場合に動作を停止するように無線送信回路２２１を制御したりすることができる。または、いくつかの実施例において、通信制御回路２２２は無線送信回路２２１に接続されなくてもよい。
【０１０４】
図６は、無線送信回路２２１の送信電力を調整する方式の別の一例である。図４及び図５に示す実施例とは異なり、図６の実施例に対応する無線充電装置２２０は、電源供給機器２１０から電気エネルギを取得するのではなく、外部から入力される交流電力（例えば商用電力）を上記の電磁信号に直接変換する。
【０１０５】
図６に示すように、無線充電装置２２０は、電圧変換回路２２４および電源供給回路２２５をさらに含むことができる。電源供給回路２２５は、外部から入力される交流電力（商用電力など）を受信し、交流電力に基づいて電源供給回路２２５の出力電圧および出力電流を生成することができる。例えば、電源供給回路２２５は、交流電力を整流および／またはフィルタリングして定直流電流または脈動直流電流を取得し、当該定直流電流または脈動直流電流を電圧変換回路２２４に伝送することができる。
【０１０６】
電圧変換回路２２４は、電源供給回路２２５の出力電圧を受信し、電源供給回路２２５の出力電圧を変換して、電圧変換回路２２４の出力電圧および出力電流を取得することができる。無線送信回路２２１は、さらに、電圧変換回路２２４の出力電圧および出力電流に基づいて電磁信号を生成することができる。
【０１０７】
本出願の実施例は、無線充電装置２２０の内部にアダプタのような機能を集成しているので、当該無線充電装置２２０は、外部の電源供給機器から電力を取得する必要がなく、無線充電装置２２０の集成度が向上し、無線充電を実現するプロセスの必要なデバイス数が減少する。
【０１０８】
本出願の実施例において、高電圧低電流方式でエネルギ伝送を行っているが、このようなエネルギ伝送方式では、無線送信回路２２１の入力電圧（例えば１０Ｖまたは２０Ｖ）に対する要求が高く、電源供給回路２２５の最大出力電圧が回路２２１の入力電圧の需要を満たすことができない場合、電圧変換回路２２４を設けることによって、無線送信回路２２１の入力電圧が予期の入力電圧に到達することができる。当然ながら、代替として、電源供給回路２２５の出力電圧が無線送信回路２２１の入力電圧の需要を満たすことができる場合、電圧変換回路２２４を省略して無線充電装置２２０の実現を簡易化することもできる。
【０１０９】
選択可能に、いくつかの実施例において、無線充電装置２２０は、第１の無線充電モードおよび第２の無線充電モードをサポートすることができ、無線充電装置２２０が第１の無線充電モードで充電対象機器２３０を充電する速度は、無線充電装置２２０が第２の無線充電モードで充電対象機器２３０を充電する速度より速い。言い換えると、第２の無線充電モードで動作している無線充電装置２２０と比較して、第１の無線充電モードで動作している無線充電装置２２０は、同じ容量の充電対象機器２３０内のバッテリを満充電するのにかかる時間はより短い。
【０１１０】
第２の無線充電モードは通常無線充電モードと呼ばれてもよく、例えば、ＱＩ規格、ＰＭＡ規格、またはＡ４ＷＰ規格に基づく従来の無線充電モードであってもよい。第１の無線充電モードは、急速無線充電モードであってもよい。当該通常無線充電モードは、無線充電装置２２０の送信電力が小さい（通常１５Ｗ未満であり、常用の送信電力は５Ｗまたは１０Ｗである）無線充電モードを指してよく、通常無線充電モードで大容量のバッテリ（例えば、３０００ｍＡｈの容量のバッテリ）を満充電するには、通常数時間がかかる必要があるが、急速無線充電モードの場合、無線充電装置２２０の送信電力がより大きい（通常１５Ｗ以上）。通常無線充電モードと比較して、急速無線充電モードで無線充電装置２２０が同じ容量のバッテリを完全に満充電するに必要な充電時間は大幅に短縮することができ、充電速度はより速い。
【０１１１】
選択可能に、いくつかの実施例において、通信制御回路２２２と通信制御回路２３６とは二方向通信を行って、第１の無線充電モードにおける無線充電装置２２０の送信電力を制御する。
【０１１２】
さらに、いくつかの実施例において、通信制御回路２２２と通信制御回路２３６とが二方向通信を行って、第１の無線充電モードにおける無線充電装置２２０の送信電力を制御するプロセスは、通信制御回路２２２と通信制御回路２３６とが二方向通信を行って、無線充電装置２２０と充電対象機器２３０との間の無線充電モードをネゴシエートすることを含むことができる。
【０１１３】
具体的には、通信制御回路２２２と通信制御回路２３６とがハンドシェイク通信を行うことができ、ハンドシェイク通信が成功した場合、第１の無線充電モードで充電対象機器２３０を充電するように無線充電装置２２０を制御する。ハンドシェイク通信が失敗した場合、第２の無線充電モードで充電対象機器２３０を充電するように無線充電装置２２０を制御する。
【０１１４】
ハンドシェイク通信は、通信双方が互いの身分を識別することを指してもよい。ハンドシェイク通信が成功したことは、無線充電装置２２０および充電対象機器２３０が、いずれも本出願の実施例によって提供される、送信電力が調整可能な無線充電モードをサポートすることを示すことができる。ハンドシェイク通信が失敗したことは、無線充電装置２２０および充電対象機器２３０の少なくとも一方が、本出願の実施例によって提供される、送信電力が調整可能な無線充電モードをサポートしないことを示すことができる。
【０１１５】
本出願の実施例において、無線充電装置２２０は、第１の無線充電モードを盲目的に使用して急速無線充電を行うのではなく、充電対象機器２３０と二方向通信を行って、無線充電装置２２０が第１の無線充電モードで充電対象機器２３０の急速無線充電を行えるか否かをネゴシエーションする。これによって充電プロセスの安全性を向上させることができる。
【０１１６】
具体的には、通信制御回路２２２が、通信制御回路２３６と二方向通信を行って、無線充電装置２２０と充電対象機器２３０との間の無線充電モードをネゴシエートすることは、通信制御回路２２２が、充電対象機器２３０が第１の無線充電モードをオンにするか否かを尋ねるための第１の指示を通信制御回路２３６に送信することと、通信制御回路２２２が、通信制御回路２３６から送信された、充電対象機器２３０が第１の無線充電モードをオンにすることに同意するか否かを指示するための第１の指令の返事指令を受信することと、充電対象機器２３０が第１の無線充電モードをオンにすることに同意する場合、通信制御回路２２２が、第１の無線充電モードで充電対象機器２３０を充電するように無線充電装置２２０を制御することと、を含むことができる。
【０１１７】
通信ネゴシエーションの方式に基づいて無線充電モードを決定することに加えて、通信制御回路２２２は、さらに、他の要因に基づいて無線充電モードを選択または切り替えることもでき、例えば、通信制御回路２２２は、さらに、バッテリ２３２の温度に基づいて、第１の無線充電モードまたは第２の無線充電モードでバッテリ２３２を充電するように無線充電装置２２０を制御することができる。
【０１１８】
例えば、温度が所定の第１の閾値（例えば、５℃、１０℃）より低い場合、通信制御回路２２２は、第２の無線充電モードで通常充電を行うように無線充電装置２２０を制御することができ、温度が第１の閾値以上である場合、通信制御回路２２２は、第１の無線充電モードで急速充電を行うように無線充電装置２２０を制御することができる。さらに、温度が高温閾値（例えば、５０℃）より高い場合、通信制御回路２２２は、充電を停止するように無線充電装置２２０を制御することができる。
【０１１９】
なお、本出願の実施例によって提供される送信電力が調整可能な無線充電方式は、バッテリ２３２の充電段階における１つまたは複数の充電段階を制御することに使用するができる。例えば、本出願の実施例によって提供される送信電力が調整可能な無線充電方式は、主に、バッテリ２３２の定電流充電段階を制御することに使用するができる。他の実施例において、充電対象機器２３０は、変換回路を保留してもよく、バッテリがトリクル充電段階および定電圧充電段階にあるとき、図２に示されたものと同様の従来の無線充電方式で充電することができる。具体的には、バッテリ２３２がトリクル充電段階および定電圧充電段階にあるとき、充電対象機器２３０内の変換回路は、無線受信回路２３１の出力電圧および出力電流をトリクル充電段階および定電圧充電段階の充電需要を満たすように変換することができる。定電流充電段階と比較して、トリクル充電段階および定電圧充電段階においてバッテリ２３２が受信する充電電力は小さく、充電対象機器２３０内部の変換回路の効率変換損失および熱蓄積は、許容することができる。図７を参照して以下に詳細に説明する。
【０１２０】
図７に示すように、降圧回路２３４の充電通路を第１の充電通路２３３と呼ぶことができる。充電対象機器２３０は、第２の充電通路２３９をさらに含むことができる。第２の充電通路２３９に変換回路２３７を設けることができる。変換回路２３７は、無線受信回路２３１の出力電圧および出力電流を受信し、無線受信回路２３１の出力電圧および／または出力電流に対して定電圧および／または定電流制御を行って、第２の充電通路２３９の出力電圧および／または出力電流をバッテリ２３２が現在必要とする充電電圧および／または充電電流とマッチングさせるとともに、第２の充電通路２３９の出力電圧および／または出力電流に基づいてバッテリ２３２を充電することができる。通信制御回路２３６は、さらに、第１の充電通路２３３と第２の充電通路２３９との切り替えを制御することができる。例えば、図７に示すように、第１の充電通路２３３にスイッチ２３８を設けることができ、通信制御回路２３６は、スイッチ２３８の導通と切断を制御することにより、第１の充電通路２３３と第２の充電通路２３９との切り替えを制御することができる。上記のように、いくつかの実施例において、無線充電装置２２０は、第１の無線充電モードおよび第２の無線充電モードを含むことができ、無線充電装置２２０が第１の無線充電モードで充電対象機器２３０を充電する速度が、無線充電装置２２０が第２の無線充電モードで充電対象機器２３０を充電する速度より速い。無線充電装置２２０が第１の無線充電モードで充電対象機器２３０内のバッテリを充電するとき、充電対象機器２３０は、動作するように第１の充電通路２３３を制御することができる。無線充電装置２２０が第２の無線充電モードで充電対象機器２３０内のバッテリを充電するとき、充電対象機器２３０は、動作するように第２の充電通路２３９を制御することができる。
【０１２１】
例えば、バッテリ２３２がトリクル充電段階および／または定電圧充電段階にあるとき、通信制御回路２３６は、第２の充電通路２３９を使用してバッテリ２３２を充電するように制御することができ、バッテリの定電圧定電流プロセスは、変換回路２３７（例えば、充電ＩＣ）によって制御することができる。バッテリ２３２が定電流充電段階にあるとき、第１の充電通路２３３を使用してバッテリ２３２を充電するように制御することができ、バッテリの定電流制御は、無線充電装置が送信電力を調整することによって実現することができる。変換回路２３７を保留することは、従来の無線充電方式とよりよく互換することができる。
【０１２２】
なお、第１の充電通路２３３および第２の充電通路２３９の選定方式は、様々であり得る。バッテリ２３２の現在の充電段階に基づいて選定されることに限定されない。
【０１２３】
選択可能に、いくつかの実施例において、通信制御回路２３６は、さらに、通信制御回路２２２とハンドシェイク通信を行うことができ、ハンドシェイク通信が成功した場合、動作するように第１の充電通路２３３を制御し、ハンドシェイク通信が失敗した場合、動作するように第２の充電通路２３９を制御する。
【０１２４】
ハンドシェイク通信は、通信双方が互いの身分を識別することを指してもよい。ハンドシェイク通信が成功したことは、無線充電装置２２０および充電対象機器２３０が、いずれも本出願の実施例によって提供される、送信電力が調整可能な無線充電モードをサポートすることを示すことができる。ハンドシェイク通信が失敗したことは、無線充電装置２２０および充電対象機器２３０の少なくとも一方が、本出願の実施例によって提供される、送信電力が調整可能な無線充電モードをサポートしないことを示すことができる。ハンドシェイク通信が失敗した場合、ＱＩ規格に基づく無線充電方式などの従来の無線充電方式で第２の充電通路２３９を介して充電することができる。
【０１２５】
選択可能に、他の実施例において、通信制御回路２３６は、バッテリ２３２の温度に基づいて第１の充電通路２３３と第２の充電通路２３９との切り替えを制御することができる。
【０１２６】
例えば、温度が所定の第１の閾値（例えば、５℃または１０℃）より低い場合、通信制御回路２３６は、第２の充電通路２３９を用いて通常の無線充電を行うように制御することができる。温度が第１の閾値以上である場合、通信制御回路２３６は、第１の充電通路２３３を用いて急速無線充電を行うように制御することができる。さらに、温度が高温閾値（例えば、５０℃）より高い場合、通信制御回路２３６は、無線充電を停止するように制御することができる。
【０１２７】
上記したように、無線受信回路２３１の出力電流は、脈動直流とすることができ、これによってバッテリ２３２のリチウム析出現象を低減し、バッテリの使用寿命を向上させることができる。無線受信回路２３１が脈動直流を出力する場合、通信制御回路２３６は、脈動直流のピーク値または平均値を検出し、脈動直流のピーク値または平均値に基づいて以降の通信または制御を行うことができる。
【０１２８】
選択可能に、いくつかの実施例において、無線充電装置２２０は、外部インターフェースおよび無線データ伝送回路をさらに含むことができ、当該外部インターフェースは、データ処理および伝送機能を有する電子機器に接続することができ、当該外部インターフェースは、前述した充電インターフェースであってもよい。通信制御回路２２２は、さらに、データ処理及び伝送機能を有する電子機器に外部インターフェースが接続されている間に、前記電子機器の出力電力に基づいて充電対象機器２３０を無線充電することができる。無線データ伝送回路は、前記無線充電制御ユニットが前記電子機器の出力電力に基づいて充電対象機器２３０を無線充電する際に、無線リンクを介して前記電子機器に記憶されているデータを充電対象機器２３０に送信するか、または、無線リンクを介して前記充電対象機器に記憶されているデータを前記電子機器２３０に送信することができる。前記無線データ伝送回路は、ＵＳＢプロトコルフォーマットのデータ、ディスプレイポート（ｄｉｓｐｌａｙ  ｐｏｒｔ、ＤＰ）プロトコルフォーマットのデータ、およびモバイル高精細リンクＭＨＬ（ｍｏｂｉｌｅ  ｈｉｇｈ−ｄｅｆｉｎｉｔｉｏｎ  ｌｉｎｋ  ＭＨＬ）プロトコルフォーマットのデータのうちの少なくとも１つを伝送する。
【０１２９】
以上、図２〜図７を参照して本出願の装置の実施例を詳細に説明した。以下、図９〜図１０を参照して本出願の方法の実施例を詳細に説明する。方法の実施例は、装置の実施例に対応しているので、詳細に説明していない部分は、前述した各装置の実施例を参照することができる。
【０１３０】
図８は、本出願の実施例により提供される充電対象機器の制御方法の概略フローチャートである。前記充電対象機器は、無線充電装置によって送信された電磁信号を受信し、前記電磁信号を無線受信回路の出力電圧に変換するための無線受信回路と、降圧回路であって、前記無線受信回路の出力電圧を受信し、前記無線受信回路の出力電圧を降圧処理して前記降圧回路の出力電圧を取得し、前記降圧回路の出力電圧に基づいて前記充電対象機器のバッテリを充電するための降圧回路と、を含む。
【０１３１】
図８の制御方法は、ステップＳ８１０〜ステップＳ８２０を含む。
【０１３２】
ステップＳ８１０では、前記充電対象機器の温度を検出する。
【０１３３】
ステップＳ８２０では、前記充電対象機器の温度が所定の閾値より大きい場合、前記無線充電装置をトリガして無線充電プロセスを制御して前記無線受信回路の出力電圧を低減するためのフィードバック情報を前記無線充電装置に送信する。
【０１３４】
選択可能に、図８の制御方法は、さらに、前記無線充電装置が無線充電プロセスを制御して前記降圧回路の出力電圧および／または出力電流を前記バッテリが現在必要とする充電電圧および／または充電電流とマッチングさせるように、前記無線充電装置と無線通信するステップを含むことができる。
【０１３５】
図９は、本出願の実施例により提供される無線充電装置の制御方法の概略フローチャートである。前記無線充電装置は、電磁信号を送信して、充電対象機器のバッテリを無線充電するための無線送信回路を含む。
【０１３６】
図９の制御方法は、ステップＳ９１０〜ステップＳ９２０を含む。
【０１３７】
ステップＳ９１０では、前記充電対象機器の温度が所定の閾値より大きい場合に、前記充電対象機器によって送信されたフィードバック情報を受信する。
【０１３８】
ステップＳ９２０では、前記フィードバック情報に基づいて、無線充電プロセスを制御して、前記充電対象機器の無線受信回路の出力電圧を低減する。
【０１３９】
選択可能に、ステップＳ９２０は、前記フィードバック情報に基づいて、前記無線送信回路のデューティ比を低減して、前記無線受信回路の出力電圧を低減するステップを含むことができる。
【０１４０】
選択可能に、ステップＳ９２０は、前記フィードバック情報に基づいて、前記無線送信回路の送信周波数を調整して、前記無線受信回路の出力電圧を低減するステップを含むことができる。
【０１４１】
選択可能に、前記無線充電装置は、前記無線充電装置の入力電圧を昇圧処理して、前記電圧変換回路の出力電圧を取得するための電圧変換回路をさらに含み、ステップＳ９２０は、前記フィードバック情報に基づいて、前記電圧変換回路の出力電圧を低減して、前記無線受信回路の出力電圧を低減するステップを含むことができる。
【０１４２】
選択可能に、図９の制御方法は、さらに、前記無線送信回路の送信電力を調整して前記無線送信回路の送信電力を前記バッテリが現在必要とする充電電圧および／または充電電流とマッチングさせるように、前記充電対象機器と無線通信するステップを含むことができる。
【０１４３】
上記の実施例において、全体的にまたは部分的にソフトウェア、ハードウェア、ファームウェアまたは他の任意の組み合わせによって実現されてもよい。ソフトウェアで実現されるとき、全体的にまたは部分的に、１つまたは複数のコンピュータ命令を含むコンピュータプログラム製品の形で実施されてもよい。前記コンピュータプログラム命令がコンピュータにロードされ実行されると、本出願の実施例に記載のプロセスまたは機能は、全体的にまたは部分的に生成される。前記コンピュータは、汎用コンピュータ、専用コンピュータ、コンピュータネットワーク、または他のプログラマブル可能な装置であってもよい。前記コンピュータ命令は、コンピュータ読み取り可能記憶媒体に格納することができるし、または１つのコンピュータ読み取り可能記憶媒体から別のコンピュータ読み取り可能記憶媒体に転送することもできる。例えば、前記コンピュータ命令は、１つのウェブサイト、コンピュータ、サーバ、またはデータセンタから有線（例えば、同軸ケーブル、光ファイバ、デジタル加入者線（ｄｉｇｉｔａＬ ｓｕｂｓｃｒｉｂｅｒ Ｌｉｎｅ、ＤＳＬ））または無線（例えば、赤外線、無線、マイクロ波など）を介して別のウェブサイト、コンピュータ、サーバ、またはデータセンタに転送することができる。前記コンピュータ可読記憶媒体は、コンピュータによってアクセスすることができる任意の利用可能な媒体、または１つまたは複数の利用可能な媒体を含むサーバ、データセンタなどのデータ記憶装置であってもよい。前記利用可能な媒体は、磁気媒体（例えば、フロッピーディスク、ハードディスク、磁気テープ）、光学媒体（デジタルビデオディスク（ｄｉｇｉｔａｌ ｖｉｄｅｏ ｄｉｓｃ、ＤＶＤ））、または半導体媒体（例えば、ソリッドステートディスク（ｓｏｌｉｄ ｓｔａｔｅ ｄｉｓｋ、ＳＳＤ））などであってもよい。
【０１４４】
当業者は、以下のことを意識することができる。本出願に開示されている実施例に合わせて説明された各例のユニット及アルゴリズムステップは、電子ハードウェア、またはコンピュータソフトウェアと電子ハードウェアとの結合によって実現することができる。これらの機能が一体のハードウェア、それともソフトウェアの方式によって実行されるのかは、技術案の特定応用及び設計拘束条件によるものである。当業者は、各特定の応用に対して、説明された機能を異なる方法で実現することができ、このような実現は、本出願の範囲を超えたと考えてはならない。
【０１４５】
本出願によって提供されるいくつかの実施例において、開示されているシステムと、装置と、方法とは、他の方式によって実現することができる。例えば、上記装置の実施例は、概略的なものに過ぎない。例えば、前記ユニットの区分は、ロジック機能の区分に過ぎない。実際に実現する時に、他の区分方式を有することができる。例えば、複数のユニットまたはコンポーネントは、結合することができる、または他のシステムに集成することができ、または一部の特徴を無視することができ、または実行しないことができる。一方、示されたまたは論議された相互間の結合または直接結合または通信接続は、一部のインターフェイスを介して、装置またはユニットの間接結合または通信接続であっても良く、電気的、機械的または他の形式であってもよい。
【０１４６】
本出願により提出される装置と、機器とは、いずれもチップシステムであってもよく、ハウジングを有する装置または機器であってもよい。
【０１４７】
分離部品として説明された前記ユニットは、物理的に分離していてもよいし、物理的に分離していなくてもよい。ユニットとして示された部品は、物理的なユニットであってもよいし、物理的なユニットでなくてもよい。即ち、一つの場所にあってもよいし、または複数のネットワークユニットに分布されてもよい。必要に応じて、そのうちの一部または全部のユニットを選択して本実施例の技術案の目的を実現することができる。
【０１４８】
また、本出願の各実施例においての各機能ユニットは、一つの処理ユニットに集められてもよいが、各ユニットが独立した物理的存在であっても良く、二つ以上のユニットが一つのユニットに集められてもよい。
【０１４９】
以上の記載は、本出願の実施形態に過ぎず、本出願の保護範囲はこれに限定されない。当分野に詳しい全ての当業者が本出願に開示された技術範囲内で容易に想到する変化または取り替えは、本出願の保護範囲に含まれるべきである。従って、本出願の保護範囲はその特許請求の範囲に準ずるべきである。
【図１】
0006987148.tif 000002
【図２】
0006987148.tif 000003
【図３】
0006987148.tif 000004
【図４】
0006987148.tif 000005
【図５】
0006987148.tif 000006
【図６】
0006987148.tif 000007
【図７】
0006987148.tif 000008
【図８】
0006987148.tif 000009
【図９】
0006987148.tif 000010